(57)【要約】      （修正有）【課題】作業現場における折り畳み柵の設置および折り畳み作業をきわめて容易、かつ迅速に行えるとともに立設時の専用面積が小さく、安定的立設が可能でしかも占有空間が小さくコンパクトな扁平形状に折り畳むことができるようにした。【解決手段】所要太さの円形パイプを略長方形環状に形成した第１のフレーム１と、第１のフレームに対して所要間隔を設けて上下平行に固定された一対の保持部材取付板体２と、左右一対体に固定された保持部材３と、保持部材に対して着脱自在の表示板を設けてなる設置枠体Ａと、全体を略長方形状に形成した第２のフレーム９と、着脱自在の表示板を設けた連結枠体Ｂとからなり設置枠体Ａと、筒形の連結体と、係合部とをそれぞれ設けた折り畳み柵において、設置枠体と、連結枠体とが扁平状に折り畳み可能に、かつ上下対向側に屈曲形成するとともに、連結枠体の下部側棒状フレームに復元性弾力を附与して設けた。【選択図】図１
0003103638.tif 000002
【実用新案登録請求の範囲】
【請求項１】
所要太さの円形パイプを略長方形環状に形成した第１のフレームと、前記第１のフレームで囲まれる内側領域を塞いで、前記第１のフレームに対して所要間隔を設けて上下平行に固定された一対の保持部材取付板体と、前記保持部材取付板体に対して所要間隔を設けて左右一対に固定された保持部材と、前記保持部材に対して着脱自在の表示板を設けてなる設置枠体と、上下平行に配置した一対の棒状フレームの対向部を、左右一対の保持部材で一体に連結し、全体を略長方形状に形成した第２のフレームと、前記第２のフレームで囲まれる内側領域を塞いで、前記第２のフレームの保持部材に対し着脱自在の表示板を設けた連結枠体とからなり、かつ前記設置枠体と、連結枠体との対向部に筒形の連結体と前記連結体内に挿入される係合部とをそれぞれ設けてなる折り畳み柵であって、前記設置枠体における筒形の連結体を、前記設置枠体の第１のフレームと略同径もしくは稍々太い円形パイプにて形成し、前記設置枠体の第１のフレームの互いに対向する両側対向枠辺の外側部に沿って前記対向枠辺と同芯的、かつ一体に設けるとともに、前記設置体枠と、連結枠体とが前記係合部の係合点を中心に、互いに板面を対向するように回動されて扁平状に折り畳み可能に、前記連結枠体の各係合部を、それぞれ表示板の板面に対して互いに反対方向に、かつ上下対向側に屈曲形成するとともに、前記連結枠体の下部側棒状フレームに復元性弾力を附与して設けたことを特徴とする折り畳み柵。
【請求項２】
請求項１に記載の折り畳み柵においては、前記筒形の連結体の上、下端開口部に、ゴム、プラスッチクなどの柔軟性もしくは弾性体で形成したパイプを一体に固着または着脱自在に設けたことを特徴とする折り畳み柵。
【請求項３】
請求項１乃至２に記載の折り畳み柵において、第１のフレームの左右一対の保持部材を断面略Ｕ字状板体で形成し、前記断面略Ｕ字状板体の背面上下端部を、前記第１のフレームの上下一対の保持部材取付板体に一体に固定したことを特徴とする折り畳み柵。
【請求項４】
請求項１乃至３に記載の折り畳み柵において、第２のフレームの左右一対の保持部材を断面略Ｕ字状板体で形成し、前記断面略Ｕ字状板体の下端を圧扁して表示板脱落防止となすとともに前記断面略Ｕ字状板体前面側上端を背面側上端より低く形成し、かつ前記背面側上端を前記上部側の棒状フレームに巻掛けて一体に固定し、さらに前記断面略Ｕ字状板体の背面側下端を前記下部側の棒状フレームに一体に固定したことを特徴とする折り畳み柵。
【考案の詳細な説明】
【技術分野】
【０００１】  本考案は、折り畳み柵に係り、特に、通行人または通行車両の安全のために作業現場を囲んで配置される折り畳み柵に関するものである。
【背景技術】
【０００２】  従来、一般的に、開口部が形成される作業現場では、作業現場であることを通行人または通行車両に表示するため、この作業現場を囲むように柵を立設する。従来の柵として、これを安定的に立設し、かつ、折り畳み可能となるように複数の枠体を組み合わせて構成した折り畳み柵が知られ、その一例として、例えば、実開平８−２７７４７号公報などが公知である。
また、幼児を遊ばせるための安全サークル、防水シートで水槽を形成した簡易プールの柵、道路と敷き地との境界に設ける柵等、屋内・外で設置される組立型の柵に関するものとして、例えば、実開昭６２−１５４１５８号公報のようなもの、さらにまた、土木構造物あるいは建築構造物等の施工現場において、開口部がある場合にその開口部の周囲を囲むように設けられる組立型の開口部養生枠に関するものとして、例えば、実開平７−４２７９９号公報のようなもの、または組立型の工事用ネットフェンスに関するものとして、例えば、実開昭６１−９１９６１号公報のようなものなどが公知である。
【特許文献１】特開平８−２７７４７号公報
【特許文献２】実開昭６２−１５４１５８号公報
【特許文献３】実開平７−４２７９９号公報
【特許文献４】実開昭６１−９１９６１号公報
【考案の開示】
【考案が解決しようとする課題】
【０００３】  ところが、上記第１の従来技術（特開平８−２７７４７号公報）は、設置枠体と連結枠体の、連結構造が、設置枠体と、連結枠体との対向部に、筒形の連結体と、この連結体内に挿入される係合部とをそれぞれ設けるとともに上記筒形の連結体の上記切り欠き部側端に係合し、同時にまたこの係合を解除することができる突起部を上記係合部に設けたものであるため、連結構造が複雑となり、製作も面倒で、かつコスト高となるなどの問題点があった。【０００４】  さらにまた、上記第１の従来技術は、連結枠体の係合は、上下一対に配置したフレームの両端部を単にそれぞれ対向側に略９０度に屈曲形成しただけのものであるため、上記係合部を設置枠体の筒形の連結体に係合した状態で設置枠体と連結枠体を重合状態に折り畳もうとすると、前記連結枠体の上下一対のフレームの水平部分が、前記設置枠体の側辺（対向部）に当り、平面的に観で略ジクザグ状には折り畳めるが、扁平状の重合状態に折り畳むことができず、従って、柵をコンパクトに折り畳んで所定の場所に簡単に移動することができないという問題点があった。【０００５】  また、上記第２の従来技術（実開昭６２−１５４１５８号公報）は、脚部と桟部とから成る柵基体の一側へ断面真円状の受パイプを設け、前記受パイプに内挿可能な径を有する断面真円状の差込ピンを前記柵基体の他側へ設けてなる柵構成体であって、このものは柵の接続作業を各柵に設けた差込ピンとパイプにより熟練を要することなく容易に、しかも直線状および矩形以外の形状にけいせいすることができる組立型の柵であって、折り畳み型の棚とは異なり、柵の移動に際しては各柵を分解して移動しなければならないという問題点があった。【０００６】  さらにまた、上記第３の従来技術（実開平７−４２７９９号公報）は、土木構造物あるいは建築構造物等の施工現場において、開口部がある場合にその開口部の周囲を囲むように設けられる組立型の開口部養生枠であって、このものは枠体がその構造上折り畳むことができず、移動に際しては各柵を分解して移動しなければならないという問題点があった。【０００７】  さらにまた、上記第４の従来技術（実開昭６１−９１９６１号公報）は、左右両側に立設した１対の支柱杆と、該支柱杆の上端部、中間部および下端部を互いに連結する横杆とから成るフェンス本体の下半部に覆板が添着され、上部にネット材が張設されている工事用ネットフェンスであって、前記支柱杆の一方に横方向へ突出する係合突部を設けると共に、他方に、隣接する支柱杆の前記係合突部が嵌合する係合孔を設けたこあって、このものは、その構造上、隣接する支柱杆を連結状態のまま折り畳んで移動することができず、移動に際しては隣接する支柱杆を分離して移動しなければならないという問題点があった。
【課題を解決するための手段】
【０００８】  本考案の折り畳み柵は、上記課題を解決することを目的とし、所要太さの円形パイプを略長方形環状に形成した第１のフレームと、前記第１のフレームで囲まれる内側領域を塞いで、前記第１のフレームに対して所要間隔を設けて上下平行に固定された一対の保持部材取付板体と、前記保持部材取付板体に対して所要間隔を設けて左右一対体に固定された保持部材と、前記保持部材に対して着脱自在の表示板を設けてなる設置枠体と、上下平行に配置した一対の棒状フレームの対向部を、左右一対の保持部材で一体に連結し、全体を略長方形状に形成した第２のフレームと、前記第２のフレームで囲まれる内側領域を塞いで、前記第２のフレームの保持部材に対し着脱自在の表示板を設けた連結枠体とからなり、かつ前記設置枠体と、連結枠体との対向部に筒形の連結体と前記連結体内に挿入される係合部とをそれぞれ設けてなる折り畳み柵であって、前記設置枠体における筒形の連結体を、前記設置枠体の第１のフレームと略同径もしくは稍々太い円形パイプにて形成し、前記設置枠体の第１のフレームの互いに対向する両側対向枠辺の外側部に沿って前記対向枠辺と同芯的、かつ一体に設けるとともに、前記設置枠体と、連結枠体とが前記係合部の係合点を中心に、互いに板面を対向するように回動されて扁平状に折り畳み可能に、前記連結枠体の各係合部を、それぞれ表示板の板面に対して互いに反対方向に、かつ上下対向側に屈曲形成するとともに、前記連結枠体の下部側棒状フレームに復元性弾力を附与して設けたことを特徴とする。【０００９】  また、本考案の折り畳み柵は、前記筒形の連結体の上、下端開口部に、ゴム、プラスッチクなどの柔軟性もしくは弾性体で形成したパイプを一体に固着または着脱自在に設けたことを特徴とする。【００１０】  また、本考案の折り畳み柵は、第１のフレームの左右一対の保持部材を断面略Ｕ字状板体で形成し、前記断面略Ｕ字状板体の背面上下端部を、前記第１のフレームの上下一対の保持部材取付板体に一体に固定したことを特徴とする。【００１１】  また、本考案の折り畳み柵は、第２のフレームの左右一対の保持部材を断面略Ｕ字状板体で形成し、前記断面略Ｕ字状板体の下端を圧扁して表示板脱落防止部となすとともに前記断面略Ｕ字状板体前面側上端を背面側上端より低く形成し、かつ前記背面側上端を前記上部側の棒状フレームに巻掛けて一体に固定し、さらに前記断面略Ｕ字状板体の背面側下端を前記下部側の棒状フレームに一体に固定したことを特徴とする。
【考案の効果】
【００１２】  本考案に係る折り畳み柵は、設置枠体と、連結枠体との対向部に、筒形の連結体と、前記連結体内に挿入される係合部とをそれぞれ設けた折り畳み柵において、前記設置枠体における筒形の連結体を前記設置枠体の第１のフレームと略同径もしくは稍々太い円形パイプにて形成し、前記設置枠体の第１のフレームのお互いに対向する両側対向枠辺の外側部に沿って前記対向枠辺と同芯的、かつ一体に設けるとともに、前記設置体枠と、連結枠体とが前記係合部の係合点を中心に、互いに板面を対向するように回動されて扁平状に折り畳み可能に、前記連結枠体の各係合部を、それぞれ表示板の板面に対して互いに反対方向に、かつ上下対向側に、しかも前記連結枠体の下部側棒状フレームに復元性弾力を附与して設けたものであるから、作業現場おける折り畳み柵の設置および折り畳み作業はきわめて容易かつ迅速に行えるとともに立設時の専有面積が小さく、しかも安定的立設が可能なるものであることは勿論のこと、特に、本考案の場合は、連結枠体各係合部を、それぞれ表示板の板面に対して互いに反対方向に、かつ上下対向側に屈曲形成するとともに、前記各係合部を設置枠体の両側対向枠辺の外側部に沿って同芯的、かつ一体に設けた筒形の連結体の上下端開口部に挿入係合するようにしたので、前記第１のフレームにおける両側対向枠辺部は筒形に連結体の存在により著しく強度が強くなり、従ってフレームを細くしても充分使用に供し得るものであり、その分、材料を節約し、コストを安価なものとすることができる。
また、前記筒形の連結体の上下端開口部への挿入係合を容易に行うことができるとともに折り畳み柵の保管あるいは運搬時には、前記設置枠体と連結枠体を各係合部の係合点を中心に、互いに板面を対向するように回動して折り畳むことにより、前記設置枠体と連結枠体を占有空間が小さくコンパクトな扁平形状に折り畳み、保管あるいは運搬を容易かつ便利に行うことができるものである。
また、前記連結枠体の下部側棒状フレームは、復元性弾力を附与されたものであるから、前記下部側棒状フレームの係合部を前記設置枠体の筒形の連結体の下端開口部へ挿入係合した場合に、前記係合部は自己の保有する復元性弾力による摩擦力によって前記筒形の連結部内に確実に保持され、特別に脱落防止の保持機構を設けることなく、携帯を容易に行うことができるものである。
さらにまた、本考案の折り畳み柵は、第１のフレームおよび第２のフレームにおける表示板の保持部材を、断面略Ｕ字状板体にて形成したので、前記断面略Ｕ字状保持部材への前記表示板の着脱を容易に行うことができるばかりでなく、特に第２のフレームにおける断面略Ｕ字状保持部材の下端を圧扁して表示板脱落防止部とし、差込んだ表示板の脱落を防止するとともに前記断面略Ｕ字状保持部材の前面側上端を背面側上端より低く形成し、かつ前記背面側上端を、前記上部側の棒状フレームに巻掛けて一体に固定したので、前記断面略Ｕ字状保持部材に対する表示板の着脱を前記巻掛け部分を利用して、より一層容易に行えるなどの効果がある。
【考案を実施するための最良の形態】
【００１３】  本考案は、作業現場における折り畳み柵の設置および折り畳み作業をきわめて容易、かつ迅速に行えるとともに立設時の専用面積が小さく、安定的立設が可能でしかも設置枠体と連結枠体を占有空間が小さくコンパクトな扁平形状に折り畳むことができ、また、連結枠体の下部側棒状フレームの係合部は、自己の保有する復元性弾力による摩擦力によって、妄りに設置枠体の筒形の連結の下端開口部から脱落しない、しかも設置枠体および連結枠体に対する表示板の着脱を容易かつ確実に行うことができる折り畳み柵を提供する。
【実施例】
【００１４】  以下、図面を参照して本考案に係る折り畳み柵の実施の形態を詳細に説明する。
図１は、本考案に係る折り畳み柵を展開した状態の一例を示す正面図である。図２は、同平面図である。図３は、同折り畳み柵を扁平状に折り畳んだ状態の一例を示す平面図である。図４は、設置枠体の正面図である。図５は、図４におけるＡ−Ａ断面図である。図６は、連結枠体の正面図である。図７は、同平面図である。図８は、図６における要部の一部拡大正面図である。図９は、図８におけるＡ−Ａ断面図である。図１０は、図６におけるＢ−Ｂ拡大断面図である。図１１は、連結枠体における上部側棒状フレーム両端係合部の斜視図である。図１２は、図３の一部拡大平面図である。図１３は、本考案に係る折り畳み柵の使用状態の一例を示す説明用斜視図である。【００１５】  図１乃至図５において、１は所要太さの円形パイプ１ａを略長方形環状に形成し下辺にゴム脚１ｃを設けた第１のフレームであって、本実施例においては、金属製のパイプを用いているが、これに限定されるものでなく、硬質プラスッチク、ガラスウール、その他適宜の材料を用いてもよく、またパイプの形状も円形に限定されることなく、さらにまたパイプも無垢のものであってもよい。
２は前記第１のフレーム１で囲まれる内側領域を塞いで、前記第１のフレーム１に対して所要間隔を設けて上下平行に固定された一対の保持部材取付板体であって、その材質は金属その他適宜のものでよく、またその固定手段は図５に示すように、例えば溶接等の手段により前記第１のフレームと一体に固定されているが、その他適宜の手段でもよい。
３は前記保持部材取付板体に対して所要間隔を設けて左右一対に固定された保持部材であって、その材質は金属その他適宜のものでよく、またその固定手段は例えばスポット溶接等の手段により前記保持部材取付板体２と一体に固定されているが、これに限定されるものでない。なお、前記保持部材３は図５に示すように断面略Ｕ字状板体で形成されているがこれに限定されるものでない。【００１６】  ４は、前記保持部材３に対して着脱自在に設けられた表示板であって、前記表示板４には作業現場であることの表示と会社名その他必要事項の表示または所要の色彩、図形模様等が施されており、また、前記保持部材３への着脱に際しては、前記表示板４の両側辺部を前記保持部材３の断面略Ｕ字状の溝部３ａへ上方から挿入または引出すことにより、容易に行うことができる。なお、前記表示板４は、何らの表示をせず、所要色彩を施した板体を用いることも可能である。【００１７】  ５は、前記設置枠体Ａの第１のフレーム１の両側対向枠辺１ｂの外側部に沿って前記対向枠辺１ｂと同芯的、かつ一体に設けられた筒形の連結体であって、図４乃至図５に示すように、前記第１のフレーム１と略同径もしくは稍々太い円形パイプで形成されている。なお、前記筒形の連結体５は、金属製、硬質プラスチック、ガラスウールその他適宜の材料を用いてもよく、またパイプの形状も円形に限定されるものではない。
上記のように筒形の連結体５を第１のフレーム１の両側対向枠辺１ｂの外側部に沿って設けた設置枠体Ａは全体の強度が強くなり、従って第１のフレーム１を細いもので形成することができ、その分、材料を節約し、コストを安価なものとすることができる。
６は、前記筒形の連結体５の上、下端開口部５ａ、５ｂに固着または着脱自在に設けられたゴム、プラスチックなどの柔軟性もしくは弾性体からなるパイプであって、その性質を利用することにより、前記連結体５の上、下端開口部５ａ、５ｂへ、連結体Ｂの各係合部の挿入を容易に行うことができるものである。【００１８】  図６乃至図１０において、Ｂは、連結枠体を示し、前記連結枠体Ｂは、上下平行に配置した一対の棒状フレーム７の対向部を左右一対の保持部材８で一体に連結し、全体を略長方形状に形成した第２のフレーム９と、前記第２のフレーム９で囲まれる内側領域を塞いで、前記保持部材に対して着脱自在に設けられた表示板１０で構成されている。【００１９】  また、前記上下平行に配置した棒状フレーム７の各両端部は、前記設置枠体Ａと連結枠体Ｂをに互い表示板４，１０の板面（表示面）を対向するよう図２における矢印Ａ１方向に回動して扁平状に折り畳み可能に、それぞれ前記表示板４および１０の板面（表示面）に対して互いに反方向に、かつ上下対向側に屈曲された係合部１１に形成されているとともに前記下部側の棒状フレーム７ａには復元性弾力が附与されているので、前記棒状フレーム７ａの係合部１１を復元性弾力に抗した状態、即ち、前記係合部１１を図６示のように実線の状態から点線の状態に押曲げた状態で、前記設置枠体Ａの筒形の連結体５の下端開口部５ｂに挿入係合した場合は、前記棒状フレーム７ａの係合部１１は復元性弾力により、前記筒形の連結体５の下端開口部５ｂの内壁面に圧接され、その摩擦力によって、前記下端開口部５ｂ内に保持され、前記連結体５からの脱落防止されるものである。【００２０】  また、前記棒状フレーム７ａの係合部１１を前記連結体５の下端開口部５ｂから外す場合は、前記係合部１１を復元性弾力に抗し、図６示の点線の状態に押し曲げることにより、容易に係合を外すことができるものである。【００２１】  また、前記連結体Ｂにおける左右一対の保持部材８は、断面略Ｕ字状板体で形成されており、図１０示のように下端を圧扁して表示板脱落防止部８ａとなすとともに図８、図９示のように上端８ｂを背面側上端８ｃより低く形成し、さらに、前記背面側上端８ｃを前記上部側の棒状フレーム７に巻掛けて一体に固定するとともに前記背面側下端８ｄを前記下部側の棒状フレーム７ａに一体に固定している。８ｅは、前記保持部材８の前面側上端８ｂに設けた切欠部である。【００２２】  従って、前記保持部材８に対する表示板１０の着脱に際しては、前記保持部材８の背面側上端８ｃより低く形成した前面側上端８ｂおよび前記上部側の棒状フレーム７に巻掛けて一体に固定した前記背面側上端８ｃの巻掛け部８ｆと前記切欠部８ｅを利用し表示板１０を傷付けることなく容易に着脱できるものである。【００２３】  なお、前記連結体Ｂにおける棒状フレーム７、保持部材８は金属に限定されるものでなく、硬質プラスチック、その他、適宜の材料を用いてもよいものであり、また、前記棒状フレーム７と前記保持部材８の連結も、溶接、その他、適宜の手段によるものでよい。
さらにまた、表示板１０には、作業現場であることの表示と会社名、その他必要事項の表示または所要の図形、色彩、模様等が施されてなるものである。【００２４】  このように構成されている本考案に係る折り畳み柵は、作業現場における折り畳み柵の設置および折り畳み作業をきわめて容易、かつ、迅速に行えるとともに立設時の専有面積が小さく、安定的立設が可能でしかも設置枠体と連結枠体を占有空間が小さく、コンパクトな扁平形状に折り畳むことができ、また、連結枠体の下部側棒状フレームの係合部は、自己の保有する、復元性弾力によって、妄りに設置枠体の筒形の連結枠体の下端開口部から脱落せず、しかも設置枠体と連結枠体に対する表示板の着脱を容易、かつ確実に行うことができるものである。
【産業上の利用可能性】
【００２５】  なお、本実施例では、特に、通行人または通行車両の安全のために作業現場を囲んで配置される場合について説明したが、これに限らず、イベント会場、駐車場等におけるインスタント仕切り壁等に対しても適用できること勿論である。
【図面の簡単な説明】
【００２６】
【図１】  本考案に係る折り畳み柵を展開した状態の一例を示す正面図である。
【図２】  同平面図である。
【図３】  本考案に係る折り畳み柵を扁平状に折り畳んだ状態の一例を示す平面図である。
【図４】  本考案に係る折り畳み柵における設置枠体の正面図である。
【図５】  図４におけるＡ−Ａ断面図である。
【図６】  本考案に係る折り畳み柵における連結枠体の正面図である。
【図７】  同平面図である。
【図８】  図６における要部の一部の拡大正面図である。
【図９】  図８におけるＡ−Ａ断面図である。
【図１０】  図６におけるＢ−Ｂ拡大断面図である。
【図１１】  本考案に係る折り畳み柵における連結枠体の上部側棒状フレーム両端係合部の斜視図である。
【図１２】  図３の一部拡大平面図である。
【図１３】  本考案に係る折り畳み柵の使用状態の一例を示す説明用斜視図である。
【符号の説明】
【００２７】  １          第１のフレーム
１ａ        円形パイプ
１ｂ        両側対向枠辺
１ｃ        ゴム脚
２          一対の保持部材取付板体
３          保持部材
３ａ        溝部
４          表示板
５          筒形の連結体
５ａ        上端開口部
５ｂ        下端開口部
６          柔軟性もしくは弾性体からなるパイプ
７          一対の棒状フレーム
７ａ        下部側の棒状フレーム
８          一対の保持部材
８ａ        表示板脱落防止部
８ｂ        前面側上端
８ｃ        背面側上端
８ｄ        背面側下端
８ｅ        切欠部
８ｆ        巻掛け部
９          第２のフレーム
１０          表示板
１１          係合部
Ａ          設置枠体
Ｂ          連結枠体
【図１】
0003103638.tif 000003
【図２】
0003103638.tif 000004
【図３】
0003103638.tif 000005
【図４】
0003103638.tif 000006
【図５】
0003103638.tif 000007
【図６】
0003103638.tif 000008
【図７】
0003103638.tif 000009
【図８】
0003103638.tif 000010
【図９】
0003103638.tif 000011
【図１０】
0003103638.tif 000012
【図１１】
0003103638.tif 000013
【図１２】
0003103638.tif 000014
【図１３】
0003103638.tif 000015